(57)【要約】      （修正有）【課題】結露による水滴を排除した氷のうの伸縮性カバーを提供する。【解決手段】冷却材Ｂを充填して用いる柔軟性を有し袋状に形成された氷のうＡにおいて、前記氷のうＡを内装する伸縮性を有した織布又は不織布で形成した伸縮性カバー１を備えたものであり、更に、積層可能な複数の前記伸縮性カバー１を備えたものであり、更には、伸縮性カバー１の織布又は不織布の厚みを相違させたものであり、加えて、伸縮性カバー１の織布又は不織布の表面に模様や配色を付したものである。【選択図】図１
0003148553.tif 000002
【実用新案登録請求の範囲】
【請求項１】
冷却材を充填して用いる柔軟性を有し袋状に形成された氷のうにおいて、前記氷のうを内装する伸縮性を有した織布又は不織布で形成した伸縮性カバーを備えたことを特徴とする氷のうの伸縮性カバー。
【請求項２】
積層可能な複数の前記伸縮性カバーを備えたことを特徴とする請求項１に記載の氷のうの伸縮性カバー。
【請求項３】
前記伸縮性カバーの織布又は不織布の厚みを相違させたことを特徴とする請求項２に記載の氷のうの伸縮性カバー。  
【請求項４】
前記織布又は不織布の表面に模様や配色を付したことを特徴とする請求項１〜３のいずれか一つに記載の氷のうの伸縮性カバー。
【考案の詳細な説明】
【技術分野】
【０００１】
本考案は氷のうを内装する伸縮性カバーに関するものであり、更に詳細には、氷のうを内装する伸縮性の織布又は不織布で形成した伸縮性カバーを備えたことにより結露による水滴を排除した氷のうの伸縮性カバーに関するものである。
【背景技術】
【０００２】
従来から、氷のうは発熱時に頭部の温度を下げるためや、夏期において涼を求めるために用いられるものであるが、氷のうの表面に生じる結露によって水滴が形成され流れ落ちるために利用者は不快なものであり、そのため、タオルやガーゼを間に敷いて水滴を吸い取っていた。
【０００３】
また、水滴のつかない氷のうとして、先に開示されている、例えば、ゴムまたはプラスチックの如き柔軟質不透水性材料からなる内・外２重の袋を形成し、この内袋と外袋の間に空間を持たせるとともに開口部や底部を局部的に接合または連結したもの（特許文献１参照）や、綿状パルプ・高分子吸水材からなる吸水材１をポリオレフィン系等の不織布で造られた表面材２で前面を被覆、貼着テープで密封し、ナイロンネット３に収納したもの（特許文献２参照）等が開示されている。
【特許文献１】実開平５−６５３１７号公報
【特許文献２】実開平４−７１９１７号公報
【考案の開示】
【考案が解決しようとする課題】
【０００４】
然し乍ら、特許文献１に記載されているものは、不透水性材料からなる内・外２重の袋を形成すると共に、内袋と外袋の間に空間を持たせ、開口部や底部を局部的に接合または連結したものであるが、構造が複雑であり、且つ、空間を持たせて吊り下げるのは手間暇がかかるものであり、また、特許文献２に記載されているものは、吸水材１を不織布で造られた表面材２で被覆、貼着テープで密封し、更に、ナイロンネット３に収納したもので、構造が複雑であり、コストがかかるものである。
【課題を解決するための手段】
【０００５】
本考案の氷のうのカバーは、前記課題に鑑み、鋭意研鑽の結果、冷却材を充填して用いる柔軟性を有し袋状に形成された氷のうにおいて、氷のうを内装する伸縮性を有した織布又は不織布で形成した伸縮性カバーを備えたものであり、更に、温度の伝わり方を相違させるために、伸縮性カバーを二重にしたり、織布又は不織布の厚みの相違させたもので、更には、織布又は不織布の表面に模様や配色を付したものである。
【考案の効果】
【０００６】
本考案の氷のうの伸縮性カバーは、氷水や保冷材を充填して使用する氷のうにおいて、氷のうを内装する伸縮性を有した織布又は不織布で形成した伸縮性カバーを備えたことにより、氷のうが直接空気に触れにくく、また、伸縮性カバーの繊維により氷のうの表面付近の空気の対流が防げるため水滴が付きにくく、更に、氷のうの表面に発生した細かい水滴は速やかに伸縮性カバーに吸収され、大きな水滴とは成らず、また、伸縮性カバーの織布又は不織布は蒸発面が大きいため水分の蒸発がし易いもので、極めて実用性の高い考案である。
【考案を実施するための最良の形態】
【０００７】
以下、本考案の氷のうの伸縮性カバーの実施例の図面を用いて詳細に説明すると、図１は本考案の氷のうの伸縮性カバーの実施例の説明のために一部破断させた斜視説明図であり、図２は本考案の氷のうの伸縮性カバーの実施例の使用状態の正面図である。
【０００８】
本考案は氷のうを内装する伸縮性カバーに関するものであり、更に詳細には、氷のうを内装する伸縮性の織布又は不織布で形成した伸縮性カバーを備えたことにより結露による水滴を排除した氷のうの伸縮性カバーに関するものであり、請求項１に記載の氷のうの伸縮性カバーは、冷却材Ｂを充填して用いる柔軟性を有し袋状に形成された氷のうＡにおいて、前記氷のうＡを内装する伸縮性を有した織布又は不織布で形成した伸縮性カバー１を備えたことを特徴とするものである。
【０００９】
更に、請求項２に記載の氷のうの伸縮性カバーは、請求項１に記載の氷のうの伸縮性カバーにおいて、積層可能な複数の前記伸縮性カバー１を備えたことを特徴とするものである。
【００１０】
更には、請求項３に記載の氷のうの伸縮性カバーは、請求項２に記載の氷のうの伸縮性カバーにおいて、前記伸縮性カバー１の織布又は不織布の厚みを相違させたことを特徴とするものである。
【００１１】
加えて、請求項４に記載の氷のうの伸縮性カバーは、請求項１〜３のいずれか一つに記載の氷のうの伸縮性カバーにおいて、前記伸縮性カバー１の織布又は不織布の表面に模様や配色を付したことを特徴とするものである。
【実施例】
【００１２】
即ち、本考案の氷のうの伸縮性カバー１に用いる氷のうＡは、発熱した時の解熱や、夏期に涼を得るために旧来から用いられているもので、柔軟性のゴムや合成樹脂で袋状に形成されたもので、内部に氷水や保冷材等の冷却材Ｂを充填して用いるものである。
【００１３】
そして、伸縮性カバー１は、伸縮性を有した織布又は不織布で形成したもので、例えば、伸縮性の高いナイロンストッキングの生地のような素材が好適で、氷のうＡを内装するものである。
【００１４】
次に、伸縮性カバー１は、積層可能に複数の伸縮性カバー１を備えたものであり、積層して使用することによって、冷温の伝わり方を変えるものである。
【００１５】
また、伸縮性カバー１の織布又は不織布の厚みを相違させて、温度の伝わり方を相違させるものであり、発熱した熱が高く急速に冷やさなければならない時は、薄手の織布又は不織布を用いることにより、氷のうＡの冷熱を大量に放出させるもので、夏期等の夜、涼を求めなから寝るような時は、厚手の織布又は不織布を用いて少しづつ冷熱を放射させるようにしたものである。
【００１６】
更に、伸縮性カバー１の織布又は不織布の表面に模様や配色を付しているもので、可愛い模様や、明るい配色を付して、使用者の心を少しでも和らげるようにしたものである。
【００１７】
そして、図２に図示する使用状態では、氷のうＡに氷水や保冷材等の冷却材Ｂを充填して、上方から垂下させた吊り紐Ｃや吊り具に止め輪Ｄを用いて氷のうＡの開口辺を伸縮性カバー１と共に固定して、寝た状態の人間の額に上方から当接させて用いるものである。
【産業上の利用可能性】
【００１８】
従って、本考案の氷のうの伸縮性カバーは、氷水や保冷材を充填して使用する氷のうにおいて、氷のうを内装する伸縮性を有した織布又は不織布で形成した伸縮性カバーを備えたことにより、氷のうが直接空気に触れにくく、また、伸縮性カバーの繊維により氷のうの表面付近の空気の対流が防げるため水滴が付きにくく、更に、氷のうの表面に発生した細かい水滴は速やかに伸縮性カバーに吸収され、大きな水滴とは成らず、また、伸縮性カバーの織布又は不織布は蒸発面が大きいため水分の蒸発がし易い氷のうの伸縮性カバーを提供するものである。
【図面の簡単な説明】
【００１９】
【図１】図１は本考案の氷のうの伸縮性カバーの実施例の説明のために一部破断させた斜視説明図である。
【図２】図２は本考案の氷のうの伸縮性カバーの実施例の使用状態の正面図である。
【符号の説明】
【００２０】
１      伸縮性カバー
Ａ      氷のう
Ｂ      冷却材
Ｃ      吊り紐
Ｄ      止め輪
【図１】
0003148553.tif 000003
【図２】
0003148553.tif 000004